(57)【要約】【課題】  ペアガラスを用いた複層ガラス窓が破損した場合でも、居住性を損なわず、防犯上も安全な応急処置を簡単容易に実施可能とすると共に、ＰＥＴ樹脂を用いることで、リサイクル可能な環境に優しいガラス交換用補助パッキンの提供。【解決手段】  ペアガラスから成る複層ガラス破損時の応急処置に際し、交換するための単板ガラスＧＳ及び屋外シールパッキンＰＳと共に、窓の透視性、防音性、防雨性、防風性、防犯性の各機能を兼ね備える構成の一要素となる窓ガラス固定用部材Ｆｘとしてのガラス交換用補助パッキンであって、断面が中空方形状の弾性を有する細長部材を形成することを特徴とする。【選択図】        図１
2006291595.tif 000002
【特許請求の範囲】
【請求項１】
ペアガラスから成る複層ガラス破損時の応急処置に際し、交換するための単板ガラスＧＳ及び屋外シールパッキンＰＳと共に、窓の透視性、防音性、防雨性、防風性、防犯性の各機能を兼ね備える構成の一要素となる窓ガラス固定用部材Ｆｘとしてのガラス交換用補助パッキンであって、断面が中空方形状の弾性を有する細長部材を形成することを特徴とするガラス交換用補助パッキン。
【請求項２】
窓ガラス固定用部材は、断面方形の一辺が直交する辺の外面よりやや外側に伸延して外観が偏平の細長い鰭状体を突設し、また、該鰭状体の位置から断面において対角線上向う側の位置に接近し、且つ前記鰭状体を有する辺の反対側端部に直交する辺の延長端部に窓枠のガラス溝の縁部に嵌合する断面コ字形溝部を形成して成ることを特徴とする請求項１記載のガラス交換用補助パッキン。
【請求項３】
窓ガラス固定用部材は、ＰＥＴ樹脂、または合成ゴムから成ることを特徴とする請求項１記載のガラス交換用補助パッキン。
【発明の詳細な説明】
【技術分野】
【０００１】
本発明は、特にペアガラス窓の破損の際の応急処置用のガラス交換用補助パッキンに関する。
【背景技術】
【０００２】
近年、結露防止、防音、遮音のために、製造技術の進歩と共にペアガラスを用いた複層ガラス窓が多く採用されるようになった。
【０００３】
複層ガラス窓の場合の窓枠のガラス溝の幅、ガラスの厚みは、規制された範囲に集中しているのが通例である。
【０００４】
また、二重ガラス張りにするための複合型の固定用パッキンとアダプターとして、「室内の冷暖房効果をあげ、エネルギーの節減と結露の発生防止を重視し、安くて簡易に複層ガラスの効果を挙げるようにする、また軽くて破損しにくいアクリル板を使用して・・・」という提案が開示されている（例えば、特許文献１参照。）。
【特許文献１】実用新案登録第３０５９０７４号公報
【発明の開示】
【発明が解決しようとする課題】
【０００５】
然しながら、ペアガラスを用いた複層ガラス窓の場合、破損すると修復するのに少なくとも数日間〜１週間ぐらい掛かることが多く、その間、防犯、居住性、及び諸処の条件を考慮すると、即入手可能な単板ガラスを用いて応急的処置をすることが望まれる。
【０００６】
本発明は、上述の事情に鑑みて成されたもので、ペアガラスを用いた複層ガラス窓が破損した場合でも、居住性を損なわず、防犯上も安全な応急処置を簡単容易に実施可能とすると共に、ＰＥＴ樹脂を用いることで、リサイクル可能な環境に優しいガラス交換用補助パッキンを提供することを目的とする。
【課題を解決するための手段】
【０００７】
本発明は、下記構成を備えることにより上記課題を解決できるものである。
【０００８】
（１）ペアガラスから成る複層ガラス破損時の応急処置に際し、交換するための単板ガラスＧＳ及び屋外シールパッキンＰＳと共に、窓の透視性、防音性、防雨性、防風性、防犯性の各機能を兼ね備える構成の一要素となる窓ガラス固定用部材Ｆｘとしてのガラス交換用補助パッキンであって、断面が中空方形状の弾性を有する細長部材を形成するガラス交換用補助パッキン。
【０００９】
（２）窓ガラス固定用部材は、断面方形の一辺が直交する辺の外面よりやや外側に伸延して外観が偏平の細長い鰭状体を突設し、また、該鰭状体の位置から断面において対角線上向う側の位置に接近し、且つ前記鰭状体を有する辺の反対側端部に直交する辺の延長端部に窓枠のガラス溝の縁部に嵌合する断面コ字形溝部を形成して成る前項（１）記載のガラス交換用補助パッキン。
【００１０】
（３）窓ガラス固定用部材は、ＰＥＴ樹脂、または合成ゴムから成る前項（１）記載のガラス交換用補助パッキン。
【発明の効果】
【００１１】
本発明によれば、ペアガラスを用いた複層ガラス窓が破損した場合でも、居住性を損なわず、防犯上も安全な応急処置を簡単容易に実施可能とすると共に、ＰＥＴ樹脂を用いることで、リサイクル可能な環境に優しいガラス交換用補助パッキンを提供することが出来る。
【発明を実施するための最良の形態】
【００１２】
以下に、本発明に係るガラス交換用補助パッキンの実施の形態について説明する。
【００１３】
図１は、本発明に係るガラス交換用補助パッキンの要部構成を示す説明図、（ａ）はガラス交換用補助パッキンの端部形状を示す正面図、（ｂ）は斜視図、（ｃ）は全体形状を示す外観斜視図であり、一側から見た斜視図と反対側から見た斜視図、図２は、応急処置としての補修後の組立て状態を示す縦断面図、図３は、窓枠下部の構造の一例を示す断面斜視図である。
【実施例】
【００１４】
以下実施例を図面に基いて説明する。
【００１５】
ペアガラスから成る複層ガラス破損時の応急処置に際し、新規のペアガラスが入荷するまでの間、一時交換するための単板ガラスＧＳ及び屋外シールパッキンＰＳと共に、窓の透視性、防音性、防雨性、防風性、防犯性等の各機能を兼ね備える構成の一要素となる窓ガラス固定用部材Ｆｘとしてのガラス交換用補助パッキンであって、断面が中空方形状の弾性を有する細長部材を形成することを特徴とする。
【００１６】
図１において、上記の窓ガラス固定用部材Ｆｘは、断面方形の一辺１ａが直交する辺１ｂの外面よりやや外側に伸延して外観が偏平の細長い鰭状体２を突設し、また、該鰭状体２の位置から断面において対角線ＤＬ上の向う側の位置に接近し、且つ前記鰭状体２を有する辺１ａの反対側端部に直交する辺１ｃの延長端部１ｄに窓枠ＷＦのガラス溝Ｇｒの縁部４に嵌合する断面コ字形溝部３を形成して成ることを特徴とする。
【００１７】
また、窓ガラス固定用部材Ｆｘは、一般のペットボトルに使用されるＰＥＴ（ポリエチレンテレフタレート）樹脂、または合成ゴムから成ることを特徴とする。
【００１８】
図１（ｃ）は、本発明に係る窓ガラス固定用部材Ｆｘとしてのガラス交換用補助パッキンの全体構成を示す斜視図であり、図中Ａ側から見た斜視図とＢ側から見た斜視図である。窓ガラス固定用部材Ｆｘは、窓枠ＷＦが上下左右縦方向の４辺で構成されている場合、前記４辺のそれぞれの窓枠の長さに対し、コーナー部分を除いた少し短目の長さで十分であり、市販の屋外シールパッキンＰＳと組合せて用いることで、正規のペアガラスが入荷するまでの間、通常のガラス窓としての機能を十分満足することが出来る。
【００１９】
図２は、本発明に係る窓ガラス固定用部材Ｆｘとしてのガラス交換用補助パッキンを用いて応急処置を施した状態を示す。
【００２０】
窓ガラス固定用部材Ｆｘの鰭状体２は単板ガラスＧＳの上縁端部に当接して組み込まれた時、窓ガラス固定用部材Ｆｘの万一の場合のずれ落ちや落下防止の役目を成し、また縦方向左右の窓枠ＷＦに用いた場合は、倒れ防止の役目を果すもので、応急処置の単板ガラスＧＳを取付ける際の取付け作業を簡便容易にし得る役目を有している。
【００２１】
因みにガラス溝Ｇｒの幅寸法は、２０〜２６ｍｍの範囲において、２３ｍｍの幅寸法の場合が多く、また、単板ガラスの厚みは２，３，４、及び６．８ｍｍが一般的であり、本発明の窓ガラス固定用部材Ｆｘとしてのガラス交換用補助パッキンの寸法は、図１（ａ）において、窓枠ＷＦのガラス溝Ｇｒの縁部４に嵌合する断面コ字形溝部３の底部３ａを基準にして辺１ｂの外面までの幅寸法Ｌｗは１３〜１７ｍｍとし、縦方向の寸法Ｌｈを１０〜１５ｍｍのものを用意しておくことで、形状や厚みが数種類ある屋外シールパッキンＰＳと組合せて必要の際に即座に対応することが出来る。使い方としては、ガラス板と本発明に係る窓ガラス固定用部材Ｆｘとしてのガラス交換用補助パッキンを先に窓枠ＷＦに嵌め込み、次いで数種類から適宜選択した一番弾力性の大きい屋外シールパッキンＰＳをあてがって組み込むようにする。
【００２２】
本発明に係る窓ガラス固定用部材Ｆｘとしてのガラス交換用補助パッキンは、ＰＥＴ樹脂を用いた場合は、容器包装リサイクル法に適合する環境に優しい製品として提供することが出来る。
【図面の簡単な説明】
【００２３】
【図１】本発明に係るガラス交換用補助パッキンの要部構成を示す説明図、（ａ）ガラス交換用補助パッキンの端部形状を示す正面図、（ｂ）斜視図、（ｃ）全体形状を示す外観斜視図で一側から見た斜視図と反対側から見た斜視図
【図２】応急処置としての補修後の組立て状態を示す縦断面図
【図３】窓枠下部の構造の一例を示す断面斜視図
【符号の説明】
【００２４】
Ｆｘ  窓ガラス固定用部材
２    鰭状体
３    断面コ字形溝部
４    縁部
Ｇｒ  ガラス溝
ＷＦ  窓枠
ＰＳ  屋外シールパッキン
【図１】
2006291595.tif 000003
【図２】
2006291595.tif 000004
【図３】
2006291595.tif 000005